(57)【特許請求の範囲】
【請求項１】
リール本体の左右側板間に回転自在に支持したスプールを、前記リール本体の側部に設けたハンドルの回転操作で回転駆動する巻取り駆動機構と、前記巻取り駆動機構と係合し、スプールをフリー状態のクラッチＯＦＦと巻取り状態のクラッチＯＮに切換えるクラッチ機構と、を備えた魚釣用リールにおいて、
前記巻取り駆動機構に連結され、ハンドルの回転操作で連動回転する回転体を備えた歯車伝達機構と、前記回転体の駆動軸に設けられ、前記左右側板間において回動可能な釣り糸巻取り用の補助操作部材と、前記駆動軸と回転体との間に介在される一方向クラッチと、を備えており、
前記一方向クラッチは、前記補助操作部材を操作することで、前記クラッチ機構でクラッチＯＦＦに切換えられているスプールを、前記歯車伝達機構及び巻取り駆動機構を介してクラッチＯＮに切換えると共に、引き続いてスプールに釣糸を補助的に巻回可能となるように配設されていることを特徴とする魚釣用リール。
【発明の詳細な説明】
【技術分野】
【０００１】
本発明は、リール本体の側板間に釣糸が巻回されるスプールを回転自在に支持した魚釣用リールに関し、特に、ルアーフィッシングに適した魚釣用リールに関する。
【背景技術】
【０００２】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行い、魚のヒッティングを待つことになる。
【特許文献１】特開平５−１０３５６８号公報
【特許文献２】特開平１１−４２０３２号公報
【発明の開示】
【発明が解決しようとする課題】
【０００４】
ところで、上記した構成の魚釣用リールでルアーフィッシングを行う場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００５】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００６】
本発明は、上記したような問題に基づいてなされたものであり、実釣時において、ルアーアクション操作を支障無く行える魚釣用リールを提供することを目的とする。
【課題を解決するための手段】
【０００７】
上記した目的を達成するために、本発明に係る魚釣用リールは、リール本体の左右側板間に回転自在に支持したスプールを、前記リール本体の側部に設けたハンドルの回転操作で回転駆動する巻取り駆動機構と、前記巻取り駆動機構と係合し、スプールをフリー状態のクラッチＯＦＦと巻取り状態のクラッチＯＮに切換えるクラッチ機構と、を備えた構成において、前記巻取り駆動機構に連結され、ハンドルの回転操作で連動回転する回転体を備えた歯車伝達機構と、前記回転体の駆動軸に設けられ、前記左右側板間において回動可能な釣り糸巻取り用の補助操作部材と、前記駆動軸と回転体との間に介在される一方向クラッチと、を備えており、前記一方向クラッチは、前記補助操作部材を操作することで、前記クラッチ機構でクラッチＯＦＦに切換えられているスプールを、前記歯車伝達機構及び巻取り駆動機構を介してクラッチＯＮに切換えると共に、引き続いてスプールに釣糸を補助的に巻回可能となるように配設されていることを特徴とする。
【０００８】
上記した構成の魚釣用リールによれば、キャスティング操作を行った後、釣竿を握持保持している側の手の指で補助操作部材を操作することにより、そのままスプールの巻取り操作が行えるようになる。すなわち、通常、キャスティング操作に際しては、クラッチ機構をスプールフリー状態（クラッチＯＦＦ）に切換えた後、仕掛けをキャスティングするが、仕掛け投擲後、そのまま釣竿と共にリール本体を握持保持している手の指で操作部材を操作すると、一方向クラッチを介して、そのままハンドル軸が回転することによって、クラッチ機構はスプールフリー状態（クラッチＯＦＦ）から巻取り状態（クラッチＯＮ）に切換えられ、かつ、そのまま連続してスプールの微妙な巻取り操作（巻取り補助操作）が行えるようになる。この際、手を持ち替える必要は無く、一方の手（左手）のままでクラッチＯＦＦからクラッチＯＮへの切換えができ、かつ引き続いて補助巻取り操作が行えると共に、素早くハンドルによる巻取り操作に移行することができる。
【０００９】
上記した補助操作部材の操作は、釣竿を操作する腕の伸縮状態や、その腕の手首の状態に何等影響を受けることなく、釣竿を握持保持している側の手の指による操作で、クラッチＯＮへの切換操作、及び引き続いて容易かつ微妙な釣糸の巻取り操作が行えるようになる。さらに、ハンドルの回転操作で連動回転する回転体には、一方向クラッチが介在されていることから、ハンドルを巻取り操作した際の駆動力が補助操作部材に伝達されることはなく、ハンドルの巻取り操作時に補助操作部材が駆動されることもない。
【発明の効果】
【００１０】
本発明の魚釣用リールによれば、釣竿を保持した手の指で補助操作部材を移動操作することで、リールを安定して保持した状態を維持しながら、ルアーアクション操作を迅速かつ容易に行えるようになる。
【発明を実施するための最良の形態】
【００１１】
以下、本発明に係る魚釣用リールの実施形態について、添付図面を参照して具体的に説明する。
図１〜図８は、本発明に係る魚釣用リールの一実施形態を示す図であり、図１は平面図、図２は補助操作部材の支持部の構成を示す部分断面平面図、図３は図２の主要部の拡大図、図４は補助操作部材の平面図、図５は側板を外してハンドル側から見た側面図、図６は図１のＡ−Ａ線に沿った断面図、図７は一方向クラッチの拡大図、そして、図８は補助操作部材の構成を示す断面図である。
【００１２】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が回転可能に支持されている。
【００１３】
左右側板３ａ，３ｂ間には、釣糸が巻回されるスプール７が取り付けられたスプール軸８が回転可能に支持されており、スプール７は、前記ハンドル軸６に取り付けられている駆動歯車１０及びスプール軸８に継脱可能に支持されているピニオン１２を具備した巻取り駆動機構１３を介して、ハンドル５の回転操作によって回転駆動されるように構成されている。また、左右側板３ａ，３ｂ間には、スプール軸８よりも前方側で、かつ上方側に、リール本体を握り込んだ際、親指が載置できるように指当て部材（サムレスト）１５が配置されている。
【００１４】
前記ハンドル軸６には、スプール７に対する制動力を調節する公知のドラグ機構を操作するためのドラグ調節体１６が設けられており、このドラグ調節体１６を回転操作することにより、釣糸繰出時のスプール回転に所望の制動力が付与されるようになっている。また、前記ピニオン１２には、公知のクラッチ機構１７が係合しており、スプール後方のクラッチレバー１８を押し下げることでスプール軸との継合を解除してクラッチＯＦＦ（スプールフリー状態）とし、ハンドル５を巻取り操作することで、クラッチＯＦＦからクラッチＯＮ（スプール回転状態）に自動復帰できるようになっている。
【００１５】
前記巻取り駆動機構１３には、歯車伝達機構２０が連結されており、後述する補助操作部材を操作することで、歯車伝達機構２０を介してスプールを補助的に巻取り操作できるように構成されている。本実施形態における歯車伝達機構２０は、前記駆動歯車１０と隣接するようにハンドル軸６に取り付けられた歯車２１と、この歯車２１に噛合すると共にスプール７に釣糸を平行に巻回するよう左右に往復動する公知のレベルワインド装置３０を構成する駆動軸３１の端部に取り付けられた歯車２２と、右フレーム２ｂに一体回転可能に併設支持された歯車２３，２４とを備えている。なお、前記歯車２２は、併設された歯車の内、ハンドル側の歯車２３に噛合している。
【００１６】
前記左右側板３ａ，３ｂ間には、補助操作部材４０が回動可能に支持されている。この補助操作部材４０は、左右フレーム２ａ，２ｂ間に、軸受を介して回転可能に支持された駆動軸４１を囲繞するように配設される基部４０ａと、この基部４０ａから軸方向に亘って径方向に突出する操作部４０ｂとを備えており、基部４０ａにピン４２を嵌め込むことで駆動軸４１に固定されている。なお、補助操作部材４０の基部には、左フレーム２ａとの間で付勢バネ４３が設けられており、操作部４０ｂは、常時前方側に回動する方向に付勢されている。この場合、操作部４０ｂは、通常状態において、図５及び図６に示すように、後方側斜め上方に向けて突出するように配置、構成しておくことが好ましい。
【００１７】
前記補助操作部材４０は、その操作部４０ｂが釣竿を保持した手の指で操作可能な位置、例えば、本実施形態のように、左右側板３ａ，３ｂ間に回動可能に支持されていれば良いが、このような配置個所とした場合、上記した指当て部材１５の後方側において回動可能に支持しておくことが好ましい。補助操作部材４０をこのような位置に配置しておくことにより、リール本体を握り込んだ際に指当て部材１５に親指を載置すると、そのまま親指の腹部で倒伏操作を行うことが可能となる。
【００１８】
また、操作部４０ｂは、基部４０ａより先端部が先細状となるように形成されている。この場合、先細状とは、基部から先端部にかけて、幅形状、厚み形状の内、いずれか一方が先細となるように形成されていれば良いが、糸絡みを効果的に防止でき、かつ操作性の向上が図れるように、両者が共に先細となるように形成されているのが好ましい。本実施形態における操作部４０ｂは、幅形状、及び厚み形状が、共に基部から先端部に移行するにつれて、略直線状に先細となるように形成されている。また、本実施形態における基部４０ａは、左右フレーム間において、指当て部材１５の後端縁の略全体と重なる程度の幅広に形成されている。
【００１９】
前記駆動軸４１は、右フレーム２ｂからハンドル側に突出しており、その突出端には、前記歯車２４と噛合する歯車４５が取り付けられている。そして、この歯車４５と前記駆動軸４１との間には、一方向クラッチ５０が介在されている。一方向クラッチ５０は、右側板側に設けられた一方向クラッチ収容部５１内に収容されており、歯車４５に嵌合される外輪５２と、複数のコロ５３及びこれを保持する保持器５４とを備えており、各コロ５３は、図７に示すように、保持器５４との間に介在されたバネ部材５５の付勢力によって外輪５２の楔領域に付勢されている。
【００２０】
このような構成の一方向クラッチ５０によれば、補助操作部材４０の操作部４０ｂを付勢バネ４３の付勢力に抗して後方に回動（倒伏）操作すると、駆動軸４１は、図７において反時計回りに回転されることから、各コロ５３が楔領域に押し付けられて、その回転は、そのまま歯車４５に伝達される。そして、この歯車４５の回転は、上記した歯車伝達機構２０を介して巻取り駆動機構１３の駆動歯車１０に伝達され、ハンドル５を釣糸巻取り方向に回転させる（釣糸をスプールに補助的に巻回する）。一方、ハンドル５を釣糸巻取り方向に回転操作すると、その回転は、歯車伝達機構２０を介して歯車４５に伝達されるものの、図７において、歯車４５が反時計回りに回転しても、各コロ５３はフリー回転領域に移動することから、その回転が駆動軸４１（補助操作部材４０）に伝達されることはない。
【００２１】
上記のように構成された補助操作部材４０を設けたことにより、クラッチ機構１７をスプールフリー状態に切換えてキャスティング操作を行った後、ルアーアクションを行うに際して、釣竿と共にリール本体の反ハンドル側側板３ａを握持保持している手の指Ｈ（親指）で操作部４０ｂを付勢バネ４３の付勢力に抗して回動操作（倒伏操作）することが可能となる（図９及び図１０参照）。このような回動操作を行うことで、前記一方向クラッチ５０を介して、その回動力がハンドル軸６に伝達されることから、クラッチ機構１７がスプールフリー状態から巻取り状態に切換えられると共に、そのまま連続してスプール７の微妙な巻取り操作（巻取り補助操作）が行えるようになる。
【００２２】
すなわち、一方の手（左手）でスプール後方のクラッチレバー１８を押し下げてクラッチＯＦＦ（スプールフリー状態）とし、キャスティング操作後に、図１０に示すように、この一方の手の親指で補助操作部材４０を押込むように回動操作することで、ハンドルが巻取り方向に駆動回転してクラッチ機構１７が自動的にＯＦＦからＯＮ（巻取り状態）に切換えられる。つまり、手を持ち替えることなく、一方の手（左手）のままでクラッチＯＮからＯＦＦ、ＯＦＦからＯＮの切換え、そして、引き続いて補助巻取り操作が行なえると共に、他方の手（右手）で素早くハンドルによる巻取り操作に移行することができる。
【００２３】
これにより、釣竿を操作する腕の伸縮状態や、その腕の手首の状態に何等影響を受けることなく、リール本体１を握持保持している手の指による操作で、安定した保持状態を維持しながら微妙な釣糸の巻取り操作が迅速且つ容易に行えるようになる。特に、巻回操作を行う操作部分はレバー形状に形成されているため、釣竿を保持した手の指が優しくフィットすることができ、回動操作が容易に行えるようになる。また、補助操作部材４０の駆動軸４１と歯車４５との間には、一方向クラッチ５０が介在しているため、ハンドル５を巻取り操作してスプール７に釣糸を巻回する時には、補助操作部材４０が連動することはなく、魚釣用リール全体として操作性の向上が図れる。
【００２４】
そして、補助操作部材４０の操作部４０ｂは、上記したように、基部４０ａより先端部が、幅方向及び厚み方向共に先細状となるように形成されているため、釣糸の放出操作時や巻取り操作時等で釣糸が操作部４０ｂに絡んでも、自然に又は容易に解けやすく、糸絡みのトラブルが回避できる。また、幅方向に先細状となっていることから、釣竿を保持した手の指（親指）で傾斜に沿っての移動操作が行ない易くなり、特に、指当て部材１５に載置した状態では、その腹部で自然に倒伏操作することができる。このため、リール本体を安定して保持した状態を維持しながらルアーアクション操作が迅速かつ容易に行なえるようになる。さらに、リール本体を保持した手の親指操作時の操作面が大きく取れるため、補助操作部材４０の親指移動による操作性も向上する。
【００２５】
上記した補助操作部材の操作部は、例えば、以下のように種々変形することが可能である。
図１１に示す補助操作部材の操作部４０ｂは、幅方向において、両サイド４０ｃが外側に湾曲するように先細に形成されたものであり、図１２に示す補助操作部材の操作部４０ｂは、両サイドから先端部に至るまで外側に湾曲するように、略半円形状に形成されたものである。このように両サイドを湾曲状に先細に形成することで、指当て部材１５から指を斜め後方にずらすようにして操作する際の指の当たりが向上し、巻取り補助操作が行い易くなる。
【００２６】
また、図１３に示す補助操作部材の操作部４０ｂは、幅方向において、両サイド４０ｃが内側に湾曲するように先細に形成されたものである。このような先細形状でも、指の当たりが向上し、巻取り補助操作が行い易くなる。
【００２７】
なお、上記した補助操作部材には、図１４〜図１６に示すように、その中央部分に貫通孔４０ｄを形成しておいても良い。このような貫通孔を形成しておくことにより、釣場の移動時など、仕掛けを引っ掛けることができ、魚釣用リールとしての操作性の向上が図れる。
【００２８】
以上、本発明の実施形態について説明したが、上述した一方向クラッチを介在して配設される補助操作部材は、ハンドルを巻取り駆動した際に、回転駆動される各所の回転体上に設けることが可能である。また、補助操作部材の操作部は釣竿を保持した手の指で操作可能な位置に設けられていればリール本体の適所に設けることが可能である。
【図面の簡単な説明】
【００２９】
【図１】本発明に係る魚釣用リールの一実施形態を示す平面図。
【図２】補助操作部材の支持部の構成を示す部分断面平面図。
【図３】図２の主要部の拡大図。
【図４】補助操作部材を示す平面図。
【図５】側板を外してハンドル側から見た側面図、
【図６】図１のＡ−Ａ線に沿った断面図。
【図７】一方向クラッチの拡大図。
【図８】補助操作部材の構成を示す断面図。
【図９】補助操作部材の操作前の状態を示す図。
【図１０】補助操作部材の操作中の状態を示す図。
【図１１】補助操作部材の第１の変形例を示す平面図。
【図１２】補助操作部材の第２の変形例を示す平面図。
【図１３】補助操作部材の第３の変形例を示す平面図。
【図１４】補助操作部材の第４の変形例を示す断面図。
【図１５】補助操作部材の第４の変形例を示す平面図。
【図１６】補助操作部材の第４の変形例を示す図であり、押込んだ状態を示す平面図。
【符号の説明】
【００３０】
１  リール本体
３ａ，３ｂ  側板
５  ハンドル
７  スプール
１７  クラッチ機構
４０  補助操作部材
４０ａ  基部
４０ｂ  操作部
４１  駆動軸
５０  一方向クラッチ
【図１】
0004488370.tif 000002
【図２】
0004488370.tif 000003
【図３】
0004488370.tif 000004
【図４】
0004488370.tif 000005
【図５】
0004488370.tif 000006
【図６】
0004488370.tif 000007
【図７】
0004488370.tif 000008
【図８】
0004488370.tif 000009
【図９】
0004488370.tif 000010
【図１０】
0004488370.tif 000011
【図１１】
0004488370.tif 000012
【図１２】
0004488370.tif 000013
【図１３】
0004488370.tif 000014
【図１４】
0004488370.tif 000015
【図１５】
0004488370.tif 000016
【図１６】
0004488370.tif 000017